Podtech/llm-jp-corpus-v4-ja_patent huggingface dataset:
(57)【要約】      （修正有）【課題】印籠の紐を腰のベルトや帯に通して固定するか、ハンドバッグにそのまま入れれば簡易に持ち運ぶことができ、お茶碗とお湯があればどこでも野点を楽しむことができるようにする。【解決手段】茶筅Ａや茶杓Ｂを挿入できる空隙５，６と、抹茶Ｃを充填できる空隙７を下筒２に設け、下筒２に装着された茶筅Ａ、茶杓Ｂを包容する空隙１ａを上筒１に設け、上筒１と下筒２を紐３で上下に分離可動に連結した印籠型の野点用具入れとする。【選択図】図６
0003134169.tif 000002
【実用新案登録請求の範囲】
【請求項１】
茶筅、茶杓、抹茶の野点用具を装着できる空隙が設けられ、上筒と下筒に分離されこの双方を紐で連結した印籠型の野点用具入れ。
【考案の詳細な説明】
【技術分野】
【０００１】  本考案は野点用具を入れることができ、かつ簡易に持ち運べる印籠型野点用具入れに関するものである。
【背景技術】
【０００２】  これまで、茶筅や茶杓、抹茶などの野点用の道具を入れる携帯用ケースとして、茶箱や篭、バスケット、巾着袋などが用いられてきた。
【考案の開示】
【考案が解決しようとする課題】
【０００３】  しかしながら、これらのケースは手に持って持ち運びをするのが一般的で、常時身に付けて持ち歩くことができず、使用用途が野点時に限定されていた。
【課題を解決するための手段】
【０００４】  本考案は、上下に分離できる印籠の上筒と下筒に、茶筅や茶杓を挿入でき、かつ抹茶を充填できる空隙を備えた、携帯用の印籠型野点用具入れを考案した（図６）。この茶筅用、茶杓用、抹茶用の各空隙を設けることにより、茶筅や茶杓、抹茶などの野点用具を装着できる印籠が形成され、携帯用の野点用具入れとなる。
【考案の効果】
【０００５】  よって本考案の携帯用の印籠型野点用具入れにより、これに茶筅や茶杓、抹茶の野点用具を装着し、印籠の紐を腰のベルトや帯に通して固定するか、ハンドバッグにそのまま入れれば簡易に持ち運ぶことができ、お茶碗とお湯があればどこでも野点を楽しむことができる。
【考案を実施するための最良の形態】
【０００６】  本考案に係る携帯用の印籠型野点用具入れは、図１に示すように上筒１と下筒２と、この双方を連結する紐３によって印籠を構成する。そして上筒１には図２、図３に示すように空隙１ａが設けられ、茶筅、茶杓、抹茶入れの蓋栓が包容される。また下筒２には図４、図５に示すように、茶筅を納める茶筅入れ部５と茶杓を納める茶杓入れ部６、抹茶を入れる抹茶入れ部７の空隙をそれぞれ設け、この抹茶入れ部には抹茶がこぼれないように蓋栓４を設ける。そして図６に示すように、茶筅入れ部５に茶筅Ａを装着し、茶杓入れ部６に茶杓Ｂを装着し、抹茶入れ部７に抹茶Ｃを入れて蓋栓４で封じ、上筒１を被せて紐３で連結すればよい。素材は上筒１、下筒２、蓋栓４とも木材もしくは樹脂で形成することが望ましく、紐３は組紐を用いるのが望ましい。
【図面の簡単な説明】
【０００７】
【図１】  本考案に係る組み付け時の正面図である。
【図２】  本考案に係る上筒部のＡ−Ａ′断面図である。
【図３】  本考案に係る上筒部のＣ−Ｃ′断面図である。
【図４】  本考案に係る下筒部のＢ−Ｂ′断面図である。
【図５】  本考案に係る下筒部のＤ−Ｄ′断面図である。
【図６】  本考案に係る野点用具を装着した時の実施例を示す断面図である。
【符号の説明】
１    印籠の上筒部
１ａ  印籠の上筒部の空隙
２    印籠の下筒部
３    紐
４    蓋栓
５    茶筅入れ部
６    茶杓入れ部
７    抹茶入れ部
Ａ    茶筅
Ｂ    茶杓
Ｃ    抹茶
【図１】
0003134169.tif 000003
【図２】
0003134169.tif 000004
【図３】
0003134169.tif 000005
【図４】
0003134169.tif 000006
【図５】
0003134169.tif 000007
【図６】
0003134169.tif 000008
(57)【要約】      （修正有）【課題】凸凹型反射材又点灯ランプを装着する方法によって、遠くからでも安否確認可能にする。【解決手段】平時にはドアの内側に保管し、非常時に表に表示して我が家の安否を訪問者に知らせる。この表示は、ランプの点灯又は凸凹型の反射材を装着してあることで、近づかなくても安否情報を得ることができる。【選択図】図３
0003134166.tif 000002
【実用新案登録請求の範囲】
【請求項１】
安否確認プレート本体に凸凹型反射材を装着する又スイッチオンで点灯する青色ランプも装着した安否確認プレート
【考案の詳細な説明】
【技術分野】
【０００１】  本考案は災害時、救助に来られた人に自分達の無事を知らせるために表に表示する物ある。
【背景技術】
【０００２】  住宅密集地区、マンション等において、災害特に震災発生時、救助に来た人は一戸一戸への声を掛けて廻る、時間的にも多くの時を無駄にし、被害も大きくなって多方で命を落とす人も多くなっていた。
【考案の開示】
【考案が解決しようとする課題】
【０００３】  安否確認プレートが無ければ、前述のように救助に来た人が、各戸に大声を掛けてドアをノックし、返答を聞いて廻ることになる、時間の無駄にもなり、他の場所での救助にも行くことが出来なくなることにもなる。助かる命も助けることも出来なくなる。このような欠点を解決しようとするものである。
【課題を解決するための手段】
【０００４】  本考案は、安否確認プレート本体に夜光材、又ランプを付けることに依って近くまで行かなくても戸々の安否を確認することが出来るよう工夫してあり、多くの人の目にも留まるように考案してある。又平時にはドアの内側にとめておけるようプレートの裏面は磁石になっている。
【考案の効果】
【０００５】  上述のように単なるプレートではなく昼間はともかく、夜間でも見やすく又遠くからも確認が出来て、その分より多くの被災者の発見につながることはもとより、助かる命も多くなり効果は大である。
【考案を実施するための最良の形態】
【０００６】  最良の形態は、安否確認プレートを常時、目の付く取りやすい場所におくことに依って日頃から災害に対する心構えを持つことにも結び付くと思います。ドアの内側より取りはずし、表側に表示し、我が家の安否を多くの人に知らせる。
前述のように、ランプを点灯させ、救助に来た人のライトにも反応するよう夜光材を使用し、どのような角度からも見やすくなるよう凸凹の形になっている。点灯は少なくとも１２時間は光り続けるようになっている。プレートを見れば安否を知ることが出来るとういうことは最高の効果である。
【実施例】
【０００７】  以下、添付図面に従って実施例を説明する。図１は安否確認プレートの表面である。図２はウラ面であり磁石が付いている。ドア等、鉄製の物であれば一気に装着出来る。３の１は表示した時に点灯させるランプであり２は凸凹型反射材である。１、２共に遠くからでも発見可能、ランプは長時間の点灯が可能である。
【図面の簡単な説明】
【０００８】
【図１】  本体表示面
【図２】  本体ウラ面
【図３】  本体立面
【符号の説明】
１  ランプ用バッテリーケース
２  凸凹型夜光材
３  表示本体を吊るすための穴
【図１】
0003134166.tif 000003
【図２】
0003134166.tif 000004
【図３】
0003134166.tif 000005
(57)【要約】      （修正有）【課題】車の前進時、エンジン等の駆動力とは別に推進力を発生させ、スピード及び燃費を向上させることが出来るタイヤを提供する。【解決手段】中心から放射状に伸びた力点の重心をずらす様に渦巻き状のワイヤー及び重心線１を設けた。【選択図】図２
0003134165.tif 000002
【実用新案登録請求の範囲】
【請求項１】
端面の重心線を放射状かつ渦巻状にワイヤー及び重心線（１）を設け両端面（４）に向けて外周面（２）で接続し一体としている事を特徴とした自走式タイヤである。
【考案の詳細な説明】
【技術分野】
【０００１】  本発明は、既存タイヤに関し、さらに詳しくは、タイヤの重量は、そのままにしながら、高い走行性能と低燃費を可能にするタイヤに関する。
【背景技術】
【０００２】  現在の物は、タイヤのワイヤー等に関しては、強度的な効果を発揮させる物が多い。
しかし、タイヤ自体に動力を発生させることは今までは、無い
この構造だとタイヤ自体が前方に押し出す効果が得られる。
【考案の開示】
【考案が解決しようとする課題】
【０００３】  本発明の目的は、既存の走行性能の中の低燃費性とスピードアップを可能にするタイヤを提供する事にある。
【課題を解決するための手段】
【０００４】  中心から放射状に伸びた力点の重心をずらす様に渦巻き状のワイヤー及び重心線を設けた。
【考案の効果】
【０００５】  車重を利用しタイヤ自体が前方に押し出す効果を発揮する。
【考案を実施するための最良の形態】
【０００６】  以下、本発明を、図に示す実施形態に基づいて具体的に説明する。
図１は、本発明の実施形態からなるタイヤを示すワイヤー及び重心線である。
図１は、タイヤであり、１は、ワイヤー及び重心線、２接地面及び外周、３内周（ホイールのリム側）１は、外側から内側にかけて重心が接地面から垂直にならないようにずらし渦巻き状にしてある。
エノコロ草、別名ネコジャラシの原理の応用で圧力をかけると重心線がたわみ本体が前進していく、本発明は、ゴムタイヤのたわみを利用し同様の効果を生み出す。
図３（ａ）の状態の物に上から力をかけると図３（ｂ）のように力は、接地面を中心に本体は左へと移動することがわかる。
図３は、この原理を解りやすく表した図である。
よって車重がかかると接地面側が、たわみ接地面が後方へ押される事により前進する、これをタイヤの回転により連続して行われ効果を表すのである。
また、これを逆に装着することにより逆の効果も期待できる。
【産業上の利用可能性】
【０００７】  燃費の向上と更なる改良の可能性もあり、又ゴムタイヤを用いた車両全てに利用できる。
【図面の簡単な説明】
【図１】  タイヤ内のワイヤー構造及び重心線をしめしたもの
【図２】  図１を斜めから見たもので、ワイヤー及び重心線は、一部省略した図
【図３】  原理と力を図に表したもの
【符号の説明】
【０００８】        １    ワイヤー及び重心線
２    接地面及び外周
３    内周、ホイールのリム側
４    タイヤ端面
【図１】
0003134165.tif 000003
【図２】
0003134165.tif 000004
【図３】
0003134165.tif 000005
(57)【要約】【課題】  椅子に長時間座っていた際の熱による不快感をなくしたい。【解決手段】  この発明は強制的に椅子と身体の間の隙間に空気を送ることにより、間に溜まっている熱を分散させ熱による不快感を感じることなく長時間快適に椅子に座っていられる装置です。【選択図】図１
0003134163.tif 000002
【実用新案登録請求の範囲】
【請求項１】
この発明は外部より冷却された空気を吸気孔より本機械に取り入れ電動送風機の力を用い各ホースを経由した後、吹き出し孔よりその冷却された空気を放出する強制送風熱分散装置のエアコンシート。
【考案の詳細な説明】
【技術分野】  この発明は特に夏時期椅子に座った際、椅子と身体の背中部分又は、お尻部分との間に熱がこもり不快感を持つので、それをいくらかでも緩和することを目的とした車載用もしくは住居用椅子に取り付ける補助的なものである。
【背景技術】  椅子の中敷は断熱材で作られているか、隙間を作ることにより椅子と身体とを単に離し熱が直接伝わらないようにしているだけであった。
【考案の開示】
【技術分野】
【０００１】
【背景技術】
【０００２】
【考案の開示】
【考案が解決しようとする課題】
【０００３】  従来の椅子の中敷は身体から出された熱がなかなか分散されなかった、よって背中部分やお尻部分による不快感を感じていた、その原因である椅子と身体との間に溜まった熱気を強制的に分散させその不快感を緩和する目的に発明したものである。
【課題を解決するための手段】
【０００４】
【０００５】  いまその構造を説明すると（イ）「吸気孔  」よりエアコン等より冷却された空気を「電動送風機  」に導かれる（ロ）「電動送風機  」は「電動送風機用電源  」よりもたらされた電力により作動し「送風ホース  」へと空気を送る（ハ）「送風ホース  」に送られた空気は「開閉コック  」を経由して「上部ベースシート用送風ホース  」及び「底部ベースシート用送風ホース  」に送られ「吹き出し孔  」より外部へ放出される（二）外部に放出された空気により椅子と身体との間に溜まった熱気が分散され、結果的に熱による不快感が緩和される  本発明は以上のような構造よりなる強制送風熱分散装置である。
【考案の効果】
【０００６】
【０００７】  本考案は次の利便性がある（イ）椅子に座り送風が開始されることにより冷気間近に受け清涼感を素早く感じられる（ロ）長時間椅子に座っていても熱による不快感を感じにくい（ハ）冬場寒いときは暖気を送ることにより椅子自体が暖房器具としても使用可能である（二）椅子の上に中敷としておくのみでなく、最初から椅子本体に組み込むことにより効率的になる。
【考案を実施するための最良の形態】  （イ）「フィルター  」は吸気孔より吸い込まれる空気にはほこり等が含まれている可能性がある為「電動送風機  」の故障や「送風ホース  」や「吹き出し孔  」のつまりを引き起こす可能性がある為設置した「フィルター  」は「吸気孔  」と電動送風機  」との間に設け、清掃及び交換可能とする（ロ）「電動送風機  」はその日の気温に合わせ送風量が調整できるよう可変型にする  又、使用する電源にあわせモーターを変える必要もある（ハ）「開閉コック  」は「上部ベースシート用送風ホース  」と「底部ベースシート用送風ホース  」の双方又は、片方に送風を切り換える為に設置するものである  これは使用する人のその日のコンディションにあわせる為でもある（二）「上部ベースシート用送風ホース  」及び、「底部ベースシート用送風ホース  」は身体の重量が直接かかる為、安易につぶれることの無い素材のホースを使用するべきだが強度だけを考慮すると硬くなりすぎるのでその点も注意する必要がある  又、ホースと身体との間に網状のカバーを設けても良い（ホ）「吹き出し孔  」は放出される空気が均等になる必要がある為  穴の大きさを場所により変える必要がある。
【考案を実施するための最良の形態】
【０００８】
【図面の簡単な説明】
【０００９】
【図１】  本発明の斜視図
【図２】  本発明の正面図
【図３】  本発明の側面図
【図４】  本発明の立面図
【符号の説明】
【００１０】  １    上部ベースシート用送風ホース
２    底部ベースシート用送風ホース
３    吹き出し孔
４    送風ホース
５    開閉コック
６    電動送風機
７    フィルター
８    吸気孔
９    送風機用電源
１０  ベースシート
【図１】
0003134163.tif 000003
【図２】
0003134163.tif 000004
【図３】
0003134163.tif 000005
【図４】
0003134163.tif 000006
(57)【要約】      （修正有）【課題】掃除機の吸い込み口は、曲がる構造になっているものもあるが、ベッドの下など低い所を掃除するときは、腰を曲げることが必要で、また、角の方もうまく掃除できない。【解決手段】吸い込み口１と接続管２，６の間にジャバラ４とお互いにスライドでき、接着している筒３と、スライドする筒５の２本の筒を組み合わせ、通常は２本の筒で固定し真っ直ぐであり、低い所を掃除するときはスライドする筒５を吸い込み口にスライドして、ジャバラを表し、吸い込み口より上で曲げることにより可能にした。【選択図】図１
0003134183.tif 000002
【実用新案登録請求の範囲】
【請求項１】
通常の使用時は２つの筒で固定され真っ直ぐになり、低い所を掃除するときは筒をスライドさせることによりジャバラのホースを出し、曲げることが出来る脱着可能な掃除機用アタッチメント。
【考案の詳細な説明】
【技術分野】
【０００１】  本考案は掃除機の吸込口に接続し簡単に曲げたり真っ直ぐにしたり出来るアタッチメントに関する物である。
【背景技術】
【０００２】  従来の掃除機の延長管は樹脂製のパイプで出来ており、ベットの下など低い所は腰を深く曲げ、吸い込み口を奥に入れていたため大変だった。又、吸い込み口が回転により動く掃除機もあるが、吸い込み口の方向は回転に束縛され角の方はうまく掃除できない。
【考案の開示】
【考案が解決しようとする課題】
【０００３】  ベットの下など低い所で何回も腰をかがめるため腰痛になりやすく、奥に入れるのは困難である。尚かつ奥や狭い所で角の方を掃除するときは、延長管が邪魔になりうまくできない。
【課題を解決するための手段】
【０００４】  上記を解決するために、図１の吸い込み口と延長管の間にジャバラのホースとその上にお互いにスライドできる樹脂製の筒５と３を配置する。５の筒を吸い込み口の方にスライドさせて、４のジャバラのホースを出し、ジャバラのホースが吸い込み口より上の部分で曲がることによって、腰を曲げずに吸い込み口を奥まで入れることができるものである。簡単な操作で曲げたり真っ直ぐにしたりすることが出来る。また、２と６の接続器具により簡単に市販されている掃除機の接続管に脱着できる。
【考案の効果】
【０００５】  腰をかがめなくても良いので、腰痛になりづらく、狭い所や奥の方を掃除するとき、延長管が邪魔になるが、吸い込み口より上の方でホースが曲がる事により、吸い込み口が奥の方まで入り左右に動きやすく角まで掃除しやすい。
【考案を実施するための最良の形態】
【０００６】  図１に基づいて本考案を説明すると、１は掃除機の吸い込み口で市販されているもので、２で接続する  ２〜６は本考案であり、６で市販の延長管７に接続する。本考案は吸い込み口側接続器具と延長管側接続器具の間は、曲がる樹脂製ジャバラで８〜９センチ位のあまり長くない物である。これは、通常の掃除機のホースであっても良い。接着している筒３は、スライドする筒５の、３分の１の長さでジャバラの外と密着した筒であり、吸い込み口側接続器具と、接着剤等で固定されている。接着している筒３の長さと、スライドする筒５の長さはジャバラを被ったとき真っ直ぐになっていればよいので、長さに固定されるものではない。接着している筒３と、スライドする筒５は、先が重くならないよう軽く丈夫な筒とする。スライドする筒５は、接着している筒３の、上を被って、通常の使用時は、２つの筒でジャバラ全体を被い、接続器具間は真っ直ぐの状態になっている。一方低い所を掃除するときは、スライドする筒５を、吸い込み口の方へ引き下げることによりジャバラが出てきて、その部分で曲がることが出来る。
【実施例】
【０００７】  図１に基づいて説明する。通常図１に示すように接続器具間で接続しているジャバラのホースを、接着している筒３と、スライドする筒５で、被っている状態で使用する。図４の状態になになっている。ベッド下など低い所を掃除するときは、スライドする筒５を、接着している筒３の上をスライドさせることにより、ジャバラが出てくる。吸い込み口の上の部分のジャバラが曲がることにより簡単に奥まで入ることが出来き、角の方まで掃除することが出来る。図３の状態になっている。
【産業上の利用可能性】
【０００８】  簡単に脱着可能で曲げることのできるアタッチメントのついた掃除機ができる
【図面の簡単な説明】
【０００９】
【図１】通常のアタッチメントの断面図
【図２】各部品
【図３】ジャバラを出したとき
【図４】２つの筒で真っ直ぐにしたとき
【符号の説明】
【００１０】  １  吸い込み口
２  吸い込み口側接続器具
３  接着している筒
４  ジャバラのホース
５  スライドする筒
６  延長管側接続器具
７  延長管
【図１】
0003134183.tif 000003
【図２】
0003134183.tif 000004
【図３】
0003134183.tif 000005
【図４】
0003134183.tif 000006
(57)【要約】      （修正有）【課題】弁当箱内にソース類等の食品を安定した状態に納めてそれらの垂れ出ること等を防止し、弁当箱内を汚したりおかずの味が損なわれることを回避するとともに、ソース類等の食品の風味を保ち、さらに、その食品からの弁当箱内への臭いの広がりを抑える。【解決手段】弁当箱３０内に収納使用される使い捨てカップ本体２と、使い捨てカップ本体２内に収められる食品Ｍを覆うように用いられる蓋シート３とからなる使い捨てカップセット。【選択図】図３
0003134181.tif 000002
【実用新案登録請求の範囲】
【請求項１】
弁当箱内に収納使用される使い捨てカップ本体と、
前記使い捨てカップ本体内に収められる食品を覆うように用いられる蓋シートと、
からなることを特徴とする使い捨てカップセット。
【考案の詳細な説明】
【技術分野】
【０００１】  この考案は、弁当箱内において用いられる使い捨てカップセットに関する。
【背景技術】
【０００２】  例えば、弁当を作る際に野菜にマヨネーズソース等を直接かけた場合、食べる際にマヨネーズソースが蓋に付着していて見苦しくなっていたり、また、他のおかず等に付着してその味が損なわれる問題がある。そこで、通常はマヨネーズソースだけを別途小さなカップに入れて弁当箱内に収めるようにしている。
【考案の開示】
【考案が解決しようとする課題】
【０００３】  しかしながら、上記のようにマヨネーズソースをカップに入れた場合にも、持ち運びに際して弁当箱が大きな振動を受けて揺れるとマヨネーズソースが蓋に付着したりカップ外に垂れ出てしまうことがある。また、マヨネーズソースの表面が露呈状態となっていることでその臭いが弁当箱内に広がるとともに、マヨネーズソース自身はその風味が低下する問題があった。【０００４】  この考案では、弁当箱内にマヨネーズソース等が安定して納められるようにして、上記従来カップ使用に際しての各種問題を解決する。
【課題を解決するための手段】
【０００５】  この考案では、弁当箱内に収納使用される使い捨てカップ本体と、前記使い捨てカップ本体内に収められる食品を覆うように用いられる蓋シートとからなることを特徴とする使い捨てカップセットを提供する。【０００６】  この考案の構成によれば、例えば、マヨネーズソース、ケチャップソース、トンカツソース等の食品が蓋シートで覆われる状態で使い捨てカップ本体内に納められることで、振動等により内容物が弁当箱の蓋に付着したり、また、使い捨てカップの外部に垂れ出るようなことが回避される。また、ソース等からの弁当箱内への臭いの広がりも阻止され、ソース等の風味も良好に保たれる。【０００７】  使い捨てカップ本体、蓋シートの材料としては、紙、プラスチックフィルム、箔片等適宜のものが用いられる。この考案の使い捨てカップセットは、マヨネーズソース、ケチャップソース、トンカツソース等の粘性、かつ、流動性を持つソース類の収納に好適に使用され、また、佃煮、漬物等の小形惣菜の収納にも使用される。
【考案の効果】
【０００８】  この考案によれば、弁当箱内にソース類や小形惣菜等の食品を安定した状態に納めることができるようになり、これにより弁当箱内を汚したり、おかずの味が損なわれることが回避される。また、納められる食品からの臭いの弁当箱内への臭いの広がりも阻止され、食品自身の風味も良好に保たれるようになる。その結果、弁当箱内にこの考案の使い捨てカップセットを使用することで、見栄えが良いともに、美味で風味も良好な弁当を作ることができるようになる。
【考案を実施するための最良の形態】
【０００９】  図１はこの考案の使い捨てカップセットの外観斜視図である。使い捨てカップセット１は、紙製の使い捨てカップ本体２と、透明プラスチックスフィルムよりなる蓋シート３とよりなる。使い捨てカップ本体２は上部側が若干ロート状に開き、その上部開口５の直径は２．５ｃｍ程度で、周囲部７の全体には複数のひだ９が並設されている。蓋シート３は上記使い捨てカップ本体２の上部開口５内に丁度嵌り込む大きさの円形の覆い部１０と、その覆い部１０から側方に一体に突設される取り外し部１２とからなる。【００１０】  図２は上記使い捨てカップセット１の販売形態を示す図であり、使い捨てカップセット１はプラスチックスケース２０内に一体に納められて販売される。すなわち、プラスチックスケース２０内に使い捨てカップ本体２が複数個重ねられたものが４個並設されるとともに、その下部中央に使い捨てカップ本体２と同数の蓋シート３が重ね状態に納められて販売される。【００１１】  図３は上記使い捨てカップセット１の使用状態を示し、おかず入れ用の弁当箱３０内の一隅部にマヨネーズソースＭを入れるように用いられている。蓋シート３は使い捨てカップ本体２の上部開口５内に覆い部１０部分が嵌り込みマヨネーズソースＭ表面に若干接触する状態となってマヨネーズソースＭを覆い、取り外し部１２は使い捨てカップ本体２の上部開口５の周縁より若干外方に突出する状態となっている。蓋シート３はマヨネーズソースＭに接触付着することでほとんど位置ずれしない。蓋シート３で覆われている状態においても、蓋シート３として透明プラスチックスフィルムを使用していることで使い捨てカップ本体２内のソース内容が判別できる。蓋シート３の取り外しは取り外し部１２を持って行う。【００１２】    上記のようにマヨネーズソースＭが蓋シート３で覆われる状態で使い捨てカップ本体２内に納められることで、振動等によりマヨネーズＭが弁当箱３０の蓋に付着したり、また、使い捨てカップ本体２の外部に垂れ出るようなことが回避される。また、マヨネーズソースＭからの弁当箱３０内への臭いの広がりも阻止されるとともに、マヨネーズソースＭの風味も良好に保持される。
【図面の簡単な説明】
【００１３】
【図１】  この考案の使い捨てカップセットの実施形態の外観斜視図
【図２】  この考案の使い捨てカップセットの実施形態の販売形態図
【図３】  この考案の使い捨てカップセットの実施形態の使用状態斜視図
【符号の説明】
【００１４】１    使い捨てカップセット
２    使い捨てカップ本体
３    蓋シート
３０  弁当箱
Ｍ    マヨネーズソース（食品）
【図１】
0003134181.tif 000003
【図２】
0003134181.tif 000004
【図３】
0003134181.tif 000005
(57)【要約】      （修正有）【課題】一般に普及し使用してもらうため、使い勝手がよく低価格で入手できるウエスト調整道具を提供する。【解決手段】ゴム２とボタン１、鍵ホックを結んで繋げるという単純な作りで誰にでも作成でき、また、大量生産の場合も可能な物にしたため、低価格なウエスト調整道具となった。【選択図】図１
0003134186.tif 000002
【実用新案登録請求の範囲】
【請求項１】
ボタンが通る輪を複数作った紐状のゴムの先にボタンのみ、またはボタンと鍵ホックを背中合わせの状態でつなぎ合わせたゴムの伸縮性を利用したズボンまたはスカートのウエスト調整のための道具。
【考案の詳細な説明】
【技術分野】
【０００１】  本考案はズボンまたはスカートのウエストを緩めるための道具である。
【背景技術】
【０００２】  食事のためによる一時的あるいは体型の変化により、きつくなったズボンまたはスカートのボタンや鍵ホックを外した状態ではいていることがあった。
【考案の開示】
【考案が解決しようとする課題】
【０００３】  上着でウエスト部分を隠しても開口部が開いたままの状態でズボンまたはスカートをはき続けるのは体感も悪く落ち着かない。また、従来のウエスト伸長具はあまり目にする機会もなく、価格的にも高価なものであったため、結局きつくなったからボタンやホックを外すという方法をとってきた。従って、単純な作りで安価なものにすることにより、前述の欠点を解決しようとするものである。
【課題を解決するための手段】
【０００４】  本考案は、ゴム、ボタンおよびホックの三点を用い、着衣のボタンが通る輪を調節のため複数結んで作った紐状のゴムの先にボタンとホックの雄部材を背中合わせにゴムをはさんだ状態になるように結びつければ完成できる。このように、ボタンとゴムを結んで繋げるという単純な作りのため、装着に手間を取らない且つ低コストなウエスト伸長具として広く使用可能と思われる。
【考案の効果】
【０００５】  上述の方法で作った道具を使用することにより、ボタン、鍵ホックどちらでもウエスト部分まではけたものであればゴムの輪の部分の調節により、伸縮自在のズボンまたはスカートになり、諦めていた服も気持ちよく着ることができる。
【考案を実施するための最良の形態】
【０００６】  ズボンまたはスカートをはき、可能なところまでチャックを上げたら、着衣のボタン穴に上述の道具のボタンを通す。次に着衣のボタンを、このゴム部分にある好ましい位置の輪に通せば装着完了となる。ホックの場合は本考案の雄部材を着衣の雌部材に、ゴムを着衣の雄部材にかけて使用する。
【実施例】
【０００７】  以下、添付図面に従って実施例を説明する。１は４つの穴のあいたごく一般的な大きさのボタンである。２は、ボタンの穴を通る太さの伸縮性に富んだゴム紐である。ゴムの長さ、結び目の長さにより調節がいくらでも可能となるが、図面上では利便性を考え輪を３つとした。３は、一般的な鍵ホックの雄部材である。【０００８】  上記の１を着衣のボタン穴に通し、２を着衣のボタンにかければ装着完了となる。３は鍵ホックの場合の調節に用いるもので、着衣の雌部材にかけ、２を雄部材にとりつければ完了である。
【産業上の利用可能性】
【０００９】  本考案は家庭にある物で自分でも製作可能な道具であり、大量生産も可能なため、広く一般に受け入れてもらえ、かつ、この道具を使用することにより、諦めていた服も着れることで新たに購入することもなく、ごみを減らすことにもつながる。
【図面の簡単な説明】
【００１０】
【図１】本考案のウエスト伸長具の正面図である。
【図２】本ウエスト伸長具の裏側図である。
【図３】本ウエスト伸長具が実施された状態である。
【符号の説明】
【００１１】１  ボタン
２  ゴム紐
３  鍵ホックの雄部材
【図１】
0003134186.tif 000003
【図２】
0003134186.tif 000004
【図３】
0003134186.tif 000005
(57)【要約】【課題】肥満抑制と痩身効果のある器具を、安価に手軽に安全に提供する。【解決手段】クリップ３に、キンモクセイの芳香剤入り容器１を取り付ける。容器１には、開閉式フタ６が付いている。このキンモクセイの芳香剤入りフタ付き容器を付帯したクリップを、開閉式フタ６を開いた状態で衣服の襟元等に装着することにより、装着する者はキンモクセイの香りを吸気し、その結果、肥満抑制と痩身効果を受ける。キンモクセイの香りは本来良いものであるが、近年、トイレ用芳香剤のイメージが定着してしまっている香りである。したがって本考案は、その肥満抑制と痩身効果の有効性にもかかわらず公共の場での使用は不適切なので、家庭での使用とする。なお、突然の来客や利用しないときのために、フタを付けた。【選択図】図１
0003134189.tif 000002
【実用新案登録請求の範囲】
【請求項１】
キンモクセイの芳香剤を入れたフタ付き容器を付帯した構造を特徴とするところのクリップ。
【考案の詳細な説明】
【技術分野】
【０００１】  本考案は、肥満抑制と痩身効果のある器具に関するものである。
【背景技術】
【０００２】  健康と美容についての近年の旺盛な国民的需要を背景に、肥満抑制と痩身効果のための手段や方法は多様に考案発明され続けている。【０００３】  肥満抑制と痩身効果のための手段や方法として具体的には、食事制限、食事療法、運動、薬、運動器具、電気パルス器具、エステ等がある。【０００４】  食事制限、食事療法、運動については費用が安価であるが、当人の持続的意志と努力が必要であり、ときに苦痛をともない、かつ効果は定かではない。【０００５】  薬は高価であり、ときに危険をともない、かつ効果は定かではない。【０００６】  運動器具、電気パルス器具、エステは高価であり、かつ効果は定かではない。
【考案の開示】
【考案が解決しようとする課題】
【０００７】  安価で手軽で安全な、肥満抑制と痩身効果のある器具を提供することである。
【課題を解決するための手段】
【０００８】  この課題を解決するための請求項１の考案は、キンモクセイの芳香剤を入れたフタ付きの容器を付帯した構造を特徴とするところのクリップの考案である。
【考案の効果】
【０００９】  本考案の、キンモクセイの芳香剤入りフタ付き容器を付帯したクリップは、利用者がこれを衣服の襟元等に装着し、そのフタを開いておくだけで、キンモクセイの香りを吸気し、その結果として肥満抑制と痩身効果がある。
【非特許文献１】２００７年３月１４日付読売新聞
【００１０】  本考案のキンモクセイの芳香剤入りフタ付き容器を付帯したクリップは、複数個を装着することにより、効果をより高めることができる。
【実施例１】
【００１１】  図１は本考案のキンモクセイの芳香剤入りフタ付き容器を付帯したクリップの１実施例の平面図である。図２はその側面図であり、図３は、キンモクセイの芳香剤入りフタ付き容器１の断面図である。
【実施例２】
【００１２】  本考案のキンモクセイの芳香剤入りフタ付き容器を付帯したクリップを衣服の襟元に装着する。（図４）
【実施例３】
【００１３】  本考案のキンモクセイの芳香剤入りフタ付き容器を付帯したクリップを寝具に装着する。（図５）【００１４】  キンモクセイの香りは本来良いものであるが、近年、トイレ用芳香剤のイメージが定着している香りである。したがって、その有効性にもかかわらず、本考案を公共の場で使用することは不適切である。【００１５】  本考案のキンモクセイの芳香剤入りフタ付き容器を付帯したクリップは、家庭での使用として、なお突然の来客や利用しないときのために、フタを付けた。
【産業上の利用可能性】
【００１６】  本考案は、肥満抑制と痩身効果のある器具を、安価に手軽に安全に提供することで、近年の健康と美容についての旺盛な国民的需要に応えるものである。
【図面の簡単な説明】
【００１７】
【図１】      本考案のキンモクセイの芳香剤入りフタ付き容器を付帯したクリップの１実施例の平面図であり、開閉式フタ６が開いている。
【図２】      本考案のキンモクセイの芳香剤入りフタ付き容器を付帯したクリップの１実施例の側面図であり、開閉式フタ６が開いている。
【図３】      本考案のクリップの１実施例の、キンモクセイの芳香剤入りフタ付き容器１の断面図であり、開閉式フタ６が開いている。
【図４】      本考案のキンモクセイの芳香剤入りフタ付き容器を付帯したクリップ８を、衣服の襟元に装着した使用例を示す説明図である。
【図５】      本考案のキンモクセイの芳香剤入りフタ付き容器を付帯したクリップ８を、寝具に装着した使用例を示す説明図である。
【符号の説明】
【００１８】      １  キンモクセイの芳香剤入り容器
２  キンモクセイの芳香剤
３  クリップ
４  クリップの板バネ
５  クリップの軸
６  キンモクセイの芳香剤入り容器のフタ
７  開閉式フタの軸
８  本考案のキンモクセイの芳香剤入りフタ付き容器を付帯したクリップ
【図１】
0003134189.tif 000003
【図２】
0003134189.tif 000004
【図３】
0003134189.tif 000005
【図４】
0003134189.tif 000006
【図５】
0003134189.tif 000007
(57)【要約】      （修正有）【課題】痛み、麻痺などを伴う寝たきり患者の寝返りを手助けする用具として、また、寝たきり患者を他の場所へ移動させるときの担架としての役割を果たすなど、病院、施設、在宅療養における介護を手助けする事を目的とした差込み式薄型簡易担架の提供。【解決手段】担架本体１を寝ている患者の下に差込み、持ち上げて寝返りを打たせ、その間に片側のシーツ交換、オムツ交換を行い、次に反対側から同じ動作を繰り返し完結させる。床ずれ防止の役割も兼ね備える。担架として使用するときは、先に担架本体１で患者を横に寝返りを打たせた後、担架本体１を更に深く差込み、元に戻すとそのまま担架本体１の上に患者が乗り、担架として他の場所へ移動させる事が出来る。移動させるときは担架本体１に付いている穴に手を掛け運ぶ。【選択図】図１
0003134185.tif 000002
【実用新案登録請求の範囲】
【請求項１】
材質として縦６０ｃｍ、横１２０ｃｍ程の耐久性のあるベニヤ板もしくはポリプロピレン系の板を中芯として使用し、その上下に薄いスポンジをかぶせ表皮にポリエステル系素材（ポリウレタンコーテイング加工）等で覆われた厚さ約５ｍｍ程の板で、主に寝たきり患者を横向けさせるときに差込み動かす板として使用するとともに、ベッドから患者を他の場所へ移動させるときの担架としての機能を兼ね備えた板で、手を掛ける穴の付いた寝たきり患者専用の差込み式薄型簡易担架。
【考案の詳細な説明】
【技術分野】
【０００１】本考案は体の痛みを訴える寝たきり患者もしくは重くて動かない寝たきり患者の向きを変える用具であり、なおかつ、患者の移動を兼ねた差込式薄型簡易担架である。
【背景技術】
【０００２】一般的に病院もしくは消防救急隊員が使用している担架は単なる患者の移動のみを想定していることから，安全面を第一に考え鉄もしくはアルミパイプでできており在宅でのベッドサイドのことを考えていない。
【考案の開示】
【考案が解決しようとする課題】
【０００３】  動けない寝たきり患者を動かす場合で、骨折その他神経の痛みを伴うとき、また体重があり人手を必要とするときで、例えばシーツを交換するとき、オシメを交換するとき、は体を横向きにさせ更にもう１回反転させる等、在宅介護では人手がなく家族の負担となっている。又床ずれ対策上この動作は随時必要となる。
これらを解決するものが体の下に差し込む薄型の担架である。
【課題を解決する為の手段】
【０００４】体の下に差込み、板を上げる事でそのまま体を横に倒しオシメ交換、シーツ交換が可能。
又ベッドからベッドへ、ベッドからストレッチャーに移すとき、ストレッチャーからベッドへ移すときに担架としての機能を果たす。
【考案の効果】
【０００５】体を横に向ける場合、他の場所へ移すとき等、差込み式のためよりスムースに作業を行う事が出来る。病院、施設、在宅を問わない。更に床ずれ防止にも効果がある。
【考案を実施するための最良の形態】
【０００６】出来るだけ寝たきり患者の下にもぐりこませることで患者の負担を和らげながら体を横に向きを変えることが出来る。患者を他の場所へ移動させるときは、患者を横に向けさせた後更に深く差込み、元に戻すことでそのまま板の上に乗り担架としての役割をはたす。
【実施例１】
【０００７】  図１は全体図である。  図２は側面から見た断面図である
【実施例２】
【０００８】  以下図１に従って実施例を説明する。
１は耐久性のベニヤ板もしくは、硬質ポリプロピレン系の板等を芯にすえ、その上にスポンジを這わせ、表皮はポリエステル（ポリウレタンコーティング加工）など適宜素材で構成された差込式薄型簡易担架。
２は移動時に担架として使用するとき手をかける穴であり金具等で縁取りされている。【０００９】  シーツ交換、オシメ交換のときは担架本体１を寝ている患者の下へ差し込み体全体を押しながら横に体位を変える。体が横になったところで片側のシーツ，オシメを交換し、終ったところで同様に反対側から同じ動作を繰り返し作業を完結させる。【００１０】  担架として使用するときは、先ず寝ている患者の下に担架本体１を差込み、体を横に向け、更に体の下深く差し込んだ後そのまま体を元に戻すと担架本体１の上に自然に乗った状態になり，穴に手を掛ければそのまま他の場所へ移動する事が出来る。
【図面の簡単な説明】
【００１１】
【図１】本考案の差込式薄型簡易担架の実施例を示す正面図である
【図２】担架本体の側面から見た断面図である
【符号の説明】
【００１２】  １  担架本体
２  手を掛ける穴で金具等で縁取り
３  芯の部分、耐久性のあるベニヤ板，硬質ポリプロピレン等の素材
４  スポンジ
５  表皮でポリエステル（ポリウレタンコーティング加工）等の素材
【図１】
0003134185.tif 000003
【図２】
0003134185.tif 000004
(57)【要約】【課題】  本考案は苦痛が多く効率の悪い人力洗濯を、弾力素材で作った弾力ネットに洗濯容器と手押し棒を組み合わせた洗濯器具を用いる事で、従来の人力洗濯の欠点を改善する。【解決手段】  本考案は洗濯容器１に弾力素材で作った弾力ネット２をフック３で吊り下げ、弾力ネット２の袋籠に洗濯物５を置き洗濯水６を注入する。洗濯動作は手押し棒４を使った洗濯物５への加圧動作と、弾力ネット２の反発力による洗濯物５の再浮上現象、これらの動作を繰り返して洗濯を行う事で課題を解決する。【選択図】図６
0003134195.tif 000002
【実用新案登録請求の範囲】
【請求項１】
弾力性素材で作られた網状の弾力ネットで、洗濯容器と手押し棒を使い、弾力ネットの反発力を利用して洗濯物を上下運動させ洗濯する洗濯器具。
【考案の詳細な説明】
【技術分野】
【０００１】本考案は、手動で行う洗濯器具に関するものである。
【背景技術】
【０００２】  従来、人力で洗濯する場合、洗濯板などを用い一枚ごと衣類を中腰になり、さらに手を直接洗濯水に浸し、両手を動かして行う方法が一般的である。
【考案の開示】
【考案が解決しようとする課題】
【０００３】  人力による洗濯作業はその体位や、手を直接洗濯水に浸す事など苦痛が多い。さらに洗濯物は一枚ごと行うため作業効率も悪い。以上の欠点を改善しようとするものである。
【課題を解決しようとする手段】
【０００４】  ゴムやバネなど弾力性の有る物で網状にした弾力ネットを用い、これをフックで洗濯容器に吊るす。この弾力ネット上に洗濯物を置き適量の洗濯水を注入後、手押し棒で弾力ネットの反発力を利用して洗濯物を上下運動させる洗濯方法で、欠点の改善が行なえる。
【考案の効果】
【０００５】  本考案の器具を使用すれば立位で直接手を洗濯水に浸さず洗濯が出来、一度に複数枚の洗濯も可能となる、この為手動による洗濯の苦痛が軽減され洗濯効率も向上する。さらに人の体重を利用する事で洗濯強度の調整が出来る為、洗濯効果も良好である。
【考案を実施するための最良の形態】
【０００６】  洗濯容器は適切な大きさの市販のバケツなどを利用する。弾力ネットは弾力性のゴムやバネを用いて作り、網目構造で洗濯容器に吊るしたとき袋籠を形成するように作る。弾力ネットの大きさは洗濯容器に吊るした状態で最下部がおおむね洗濯容器の深さの半分程度に達する大きさに作り、端にはカギ状のフックを付けておく。手押し棒は洗濯物側にする端に洗濯物を適切に操作出来るような骨組みを取り付けておく。尚、洗濯物は予め網袋などに入れておくと洗濯作業の操作性が向上する。
【実施例】
【０００７】  以下添付図面に従って実施例を説明する。１は洗濯容器、２は弾力ネット、３はフック、４は手押し棒、５は洗濯物、６は洗濯水である。図５の様に弾力ネット２を洗濯容器１内に吊り下げた後、弾力ネット２の上に洗濯物５を置く、次に洗濯水６を洗濯物５が充分浸る程度注入する。【０００８】  洗濯動作は、洗濯物５を手押し棒４で上から加圧して洗濯容器１の底に押し付ける、次に加圧を止めて、弾力ネット２の反発力で洗濯物５が浮上した後、再び最初の動作を繰り返して洗濯を行う。
【図面の簡単な説明】
【０００９】
【図１】  弾力ネットとフック
【図２】  手押し棒の側面図
【図３】  手押し棒を上から見た図
【図４】  洗濯容器
【図５】  洗濯容器にフックで弾力ネットを吊り下げた立体図
【図６】  手動洗濯器具に於いて、手押し棒で洗濯物を動かす前と後の断面図
【符号の説明】
【００１０】１  洗濯容器
２  弾力ネット
３  フック
４  手押し棒
５  洗濯物
６  洗濯水
【図１】
0003134195.tif 000003
【図２】
0003134195.tif 000004
【図３】
0003134195.tif 000005
【図４】
0003134195.tif 000006
【図５】
0003134195.tif 000007
【図６】
0003134195.tif 000008
(57)【要約】【課題】  頭頂部及び頭頂部と後頭部が接する部分の禿げを回復させ、又はこの部分の育毛を促進すること【解決手段】低反発ウレタンを素材とし、枕を成形する際、枕の断面がＬ形になるように後部に立上げ部を設ける。このことにより、睡眠時寝返りを打ったとき、枕の表面と頭皮の間に摩擦が生じ、頭髪毛根周囲の毛細血管内の血液の循環がよくなり、育毛が促進される。【選択図】図３
0003134192.tif 000002
【実用新案登録請求の範囲】
【請求項１】
低反発ウレタンを素材として成形された枕で、使用する際の後部にあたる部分を立上げ、この立ち上げた部分の内側の面に、仰向けに寝た状態で頭頂部が接するような構造とした枕
【考案の詳細な説明】
【考案の開示】
【考案が解決しようとする課題】
【０００１】私達の頭の頭頂部から頭頂部と後頭部が接する部分へかけての頭皮は、左右前後の引張り力を受けやすく、この部分の毛髪の毛根周囲毛細血管内の血液の循環が悪くなるため禿げやすく、この部分の禿げている人達が多く存在する。
【課題を解決するための手段】
【０００２】低反発ウレタンを素材として、本考案の枕を成形する時、人が仰向けに寝た場合、頭頂部が接するように枕の後部にあたる部分をＬ形に立ち上げる
【考案の効果】
【０００３】図３の人が仰向けに寝た状態で頭のイの部分が立上り部Ｃの内側の面に接する。睡眠時、寝返りを打つことに伴い頭皮と枕の表面の間に摩擦が生じ、この摩擦の刺激が加わることによって、毛根周囲の毛細血管内の血液の循環が促進されて、育毛の効果を生むことができる。
【図面の簡単な説明】
【図１】  本考案による枕本体の透視図
【図２】  本考案による枕の縦断面図
【図３】  本考案による枕を使用して人が仰向けに寝た時の図面
【符号の説明】
１．枕本体
２．仰向けに寝た状態での人の頭部
Ａ．枕の前部
Ｂ．枕の後部
Ｃ．枕の立上り部
イ．頭頂部が枕と接する状態
【図１】
0003134192.tif 000003
【図２】
0003134192.tif 000004
【図３】
0003134192.tif 000005
(57)【要約】【課題】    従来の歯ブラシは、ブラシ部の柔らかさだけでは歯または歯茎の凹凸に対して対応しきれず、無理な力がかかる場所と力がかからない場所のむらができる。その点の解消。【解決手段】    植毛台部の先端から柄部に向かって５ｃｍから１０ｃｍほどの切り込みをブラシと柄に平行な方向にもうけて植毛台部を複数列とすることで、その１つずつの列の植毛台部が歯または歯茎に押し付けられる力に従ってブラシ方向にそれぞれがずれるので、ブラシ部が効果的に歯または歯茎に密着できる。【選択図】図３
0003134194.tif 000002
【実用新案登録請求の範囲】
【請求項１】
植毛台部の先端の中央から柄部に向かって５ｃｍから１０ｃｍほどの直線の切り込みを、ブラシの方向と柄の方向のそれぞれに平行な方向に１本もうけることによって植毛台部を２列（これを腕部と呼ぶことにする）とし、その１つずつの列の植毛台部が歯または歯茎に押し付けられる力に従ってブラシの方向にそれぞれがずれ、ブラシ部が効果的に歯または歯茎に密着できる構造を持った歯ブラシ。
【請求項２】
請求項１の構造を持った歯ブラシで、植毛台部の先端から柄部に向かっての切り込みの本数を１本、または２本以上とすることで腕部の本数に種類をもたせ、歯または歯茎に対する密着度合いの違いを用意できる歯ブラシ。
【考案の詳細な説明】
【技術分野】
【０００１】  本考案は、歯磨きの機能性を高めた歯ブラシに関するものである。
【背景技術】
【０００２】  従来の歯ブラシは、植毛台部が１つだけであった（図１、図２）。
【考案の開示】
【考案が解決しようとする課題】
【０００３】  そのため、ブラシ部を歯または歯茎に押し付けると、その凹凸に対してブラシ部の柔らかさだけでは対応しきれず、無理な力がかかる場所と力がかからない場所のむらができやすかった。
【課題を解決するための手段】
【０００４】  そこで、植毛台部の先端から柄部に向かって５ｃｍから１０ｃｍほどの切り込みをブラシと柄に平行な方向にもうけることによって植毛台部を複数列（これを腕部と呼ぶことにする）とした（図３、図４）。
【考案の効果】
【０００５】    これにより、その１つずつの列の植毛台部が歯または歯茎に押し付けられる力に従ってブラシ方向にそれぞれがずれ、ブラシ部が効果的に歯または歯茎に密着できるので、効果的なブラッシングが期待できる。また、植毛台部の先端から柄部に向かっての切り込みの本数を１本、または２本以上とすることで腕部の本数に種類をもたせ、歯または歯茎に対する密着度合いの違いを提供できる（図５、図６）。さらに、複数列となった植毛台部のそれぞれに固さや種類の異なったブラシ素材を用いることにより、より各使用者の歯または歯茎の状態にあった歯ブラシを用意できる。従来の歯ブラシよりブラシ部にかかる力が分散されるので、ブラシの寿命が延びることも期待できる。
【考案を実施するための最良の形態】
【０００６】    本考案に係る歯ブラシは、図３、図４に示すような構造を基本とする。植毛台部の先端から柄部に向かって５ｃｍから１０ｃｍほどの切り込みをブラシと柄に平行な方向にもうける。この切り込みは２本以上でもよい。図５、図６は切り込みを２本として腕部を３本とした例である。これにより植毛台部に向かって２本以上の腕部が形成され、植毛台のそれぞれが独立してブラシ方向に動くことを可能とする。腕部の長さによって腕部のしなり具合が異なるので、ブラシの固さ、力の入れ具合とのバランスによって腕部の長さを調整する。また、各腕部を違う素材として歯または歯に対する密着度合いを変えることも考えられる。腕部と柄部とのつながり部分には力が集中してかかるので、破損しないように丸い穴をもうける。切り込み部分は、腕部が互い違いに動いたとき、口腔内の粘膜を挟んでしまわないためにある程度の丸みを持たせる。
【図面の簡単な説明】
【０００７】
【図１】  従来の歯ブラシをブラシが植毛されている側を上方から見た図である。
【図２】  従来の歯ブラシを横から見た図である。
【図３】  本考案に係る歯ブラシで腕部が２本のものを、ブラシが植毛されている側を上方として見た図である。
【図４】  本考案に係る歯ブラシで腕部が２本のものを、植毛台部から見た図である。
【図５】  本考案に係る歯ブラシで腕部が３本のものを、ブラシが植毛されている側を上方として見た図である。
【図６】  本考案に係る歯ブラシで腕部が３本のものを、植毛台部から見た図である。
【符号の説明】
【０００８】  １      柄部
２      植毛台部
３      ブラシ部
４      腕部
５      切り込み
６      力の集中を防ぎ、腕部の破損を防ぐ穴
１０      従来の歯ブラシ
２０      切り込みを１本入れて腕部を２本とした本考案の歯ブラシ
３０      切り込みを２本入れて腕部を３本とした本考案の歯ブラシ
【図１】
0003134194.tif 000003
【図２】
0003134194.tif 000004
【図３】
0003134194.tif 000005
【図４】
0003134194.tif 000006
【図５】
0003134194.tif 000007
【図６】
0003134194.tif 000008
(57)【要約】【課題】  本考案により、携帯電話のホールド性が向上し、安定したキー入力が可能となる。  また、ホールド性向上により入力時の落下防止や、ディスプレイ部が下部となることから、覗き見防止にも効果が大である。【解決手段】  携帯電話のキー入力部を上部に、ディスプレイ部を下部に配置した。【選択図】図１
0003134191.tif 000002
【実用新案登録請求の範囲】
【請求項１】
一般的な携帯電話とは異なり、キー入力部を上部、ディスプレイ部を下部（手前）としたところを特徴とする携帯電話。
【考案の詳細な説明】
【技術分野】
【０００１】  本考案は、キー入力部を上部に、ディスプレイ部を下部（手前）に配置した、携帯電話に関するものである。
【背景技術】
【０００２】  一般的な携帯電話のキー入力においては、手前側文字入力時に携帯電話のホールドが不安定となりがちであった。
【考案の開示】
【考案が解決しようとする課題】
【０００３】  携帯電話のホールドが安定し、キー入力がし易くなる。
【課題を解決するための手段】
【０００４】  一般的な携帯電話とは異なり、キー入力部を上部にディスプレイ部を下部とした配置とする。
また、操作部が「タッチパネル」タイプの携帯電話においては、プログラムの変更のみで対応できる。
【考案の効果】
【０００５】  上述のように、本考案のグリップらくらく携帯電話は、ディスプレイ部が下部となるため、キー入力部の手前側に配置されている文字の入力時においても、しっかりと携帯電話がホールドされる。
また、ディスプレイ部が下部となるため、混雑している電車内等においては、覗き見されにくい。
【考案を実施するための最良の形態】
【０００６】  携帯電話の中間部分を握り、上部キー入力部から入力する。
【実施例】
【０００７】  以下、添付図面に従って一事例を説明する。  携帯電話の下部ディスプレイ部に小指を掛けて、ほぼ中央部を握ることにより安定した携帯電話のホールドが得られる。
【図面の簡単な説明】
【０００８】
【図１】本考案のグリップらくらく携帯電話の正面図である。
【符号の説明】
【０００９】  １  上部  操作部（キー入力部）
２  下部  表示部（ディスプレイ部）
【図１】
0003134191.tif 000003